(57)【要約】【課題】作業用アースを安全配慮用アースよりも先に外す運用を行う際に作業用アースの外し忘れを確認することができるアース外し確認装置を提供する。【解決手段】アース外し確認装置１０は、第２の送電線２Ｌの系統運用側に設置された接地開閉器１１０の接地アース１１１に流れる電流ｉの電流値を計測するための計器用変流器１１および電流計測回路１２と、停電作業前に接地開閉器１１０を投入したときの電流計測回路１２によって計測された電流ｉの電流値Ｉ1および停電作業後に作業用アース１２０を第２の送電線２Ｌから外したとされたときの電流計測回路１２によって計測された電流ｉの電流値Ｉ2に基づいて、作業用アース１２０が接地開閉器１１０を遮断する前に外されたか否かを判定するための判定回路１４とを具備する。【選択図】図１
2015047001.tif 000002
【特許請求の範囲】
【請求項１】
充電中の隣接運転回線（Ｌ1）に隣接する停止回線（Ｌ2）の系統運用側および作業側に安全配慮用アースおよび作業用アース（１２０）をそれぞれ取り付けて該停止回線について停電作業を行ったのちに該作業用アースが該安全配慮用アースよりも先に外されたか否かを確認するためのアース外し確認装置（１０，２０）であって、
前記安全配慮用アースに流れる電流（ｉ）の電流値を計測するための電流値計測手段（１１，１２；２１，２２）と、
前記停電作業前に前記安全配慮用アースのみを前記停止回線に取り付けたときの前記電流値計測手段によって計測された電流値（Ｉ1）および該停電作業後に前記作業用アースを該停止回線から外したとされたときの前記電流値計測手段によって計測された他の電流値（Ｉ2；Ｉt）に基づいて、該作業用アースが該安全配慮用アースよりも先に外されたか否かを判定するための判定手段（１４；２４）と、
を具備することを特徴とする、アース外し確認装置。
【請求項２】
前記安全配慮用アースとして、前記停止回線の前記系統運用側に設置された接地開閉器（１１０）を用い、
前記電流値計測手段が、前記接地開閉器の接地アース（１１１）に取り付けられた計器用変流器（１１；２１）を備える、
ことを特徴とする、請求項１記載のアース外し確認装置。
【請求項３】
前記他の電流値（Ｉ2）が、前記停電作業後に前記作業用アースを前記停止回線から外したとされたときに前記電流値計測手段によって計測され、
前記判定手段が、前記他の電流値（Ｉ2）と前記電流値（Ｉ1）との差を該電流値で割った値が所定の判定値（Ｚ）よりも大きいか否かを判定して、前記作業用アースが前記安全配慮用アースよりも先に外されたか否かを判定する、
ことを特徴とする、請求項１または２記載のアース外し確認装置。
【請求項４】
前記他の電流値（Ｉt）が、前記電流値計測手段によって常時計測され、
前記判定手段が、前記電流値（Ｉ1）に所定の係数を掛けて判定電流値（ＩM）を決定するとともに、前記他の電流値（Ｉt）が該判定電流値よりも小さいか否かを常時判定して、前記作業用アースが前記安全配慮用アースよりも先に外されたか否かを判定する、
ことを特徴とする、請求項１または２記載のアース外し確認装置。
【発明の詳細な説明】
【技術分野】
【０００１】
本発明は、送電線の停電作業後の作業用アースの外し忘れを確認するのに好適なアース外し確認装置に関する。
【背景技術】
【０００２】
電力会社では、隣接する２本の送電線のうち一方の送電線（以下、この送電線を「停止回線Ｌ2」と称し、他方の送電線を「隣接運転回線Ｌ1」と称する。）のみを停電させて作業（以下、「停電作業」と称する。）を行う際には、作業員の安全のために、停止回線Ｌ2の系統運用側に安全配慮用アースを取り付けるとともに停止回線Ｌ2の作業側に作業用アース１２０（図３（ｃ−１）参照）を取り付けており、作業終了後の送電線復旧の際には、必ず作業側において作業用アース１２０を先に外してから系統運用側において安全配慮用アースを外すようにしている。
また、安全配慮用アースとしては、一般的には、変電所に設置されている接地開閉器１１０（図１参照）を利用して、接地開閉器１１０を投入することにより停止回線Ｌ2を接地している。
【０００３】
このように、停電作業は停止回線Ｌ2の作業側に作業用アース１２０を取り付けて行われるが、作業員が作業終了後に作業用アース１２０を停止回線Ｌ2から外すことを忘れてしまうと、停止回線Ｌ2の復旧のために送電した際に短絡事故が発生することがある。
そのため、制御所の制御員は、停止回線Ｌ2の復旧前に電話などにより「アースなし」を作業員に口頭で確認しているが、作業個所がお客さまの構内である場合には、電力会社の作業員以外の者が作業用アース１２０を停止回線Ｌ2に取り付けているため、口頭での確認では作業用アース１２０を外し忘れてしまうことがある。
【０００４】
このような問題を解決する手法として、下記の特許文献１には、多回線の並行送配電系統のうち停止状態にある自回線について接地装置の接点を投入した際に、自回線の接地線に流れる隣接運転回線からの誘導電流または自回線の接地線に流れる充電電流を検出して接地投入状態を確認するとともに、誘導電流が得られない場合には接地線に低周波または高周波の監視信号を注入しこれを検出して接地投入状態を確認するようにした、接地装置の接地投入確認方法が開示されている。
下記の特許文献２には、アース棒に電波送信装置を取り付けて、アース棒が電線路に接続されている期間は、遮断器投入ロック信号電波を遮断器操作盤に送信して遮断器投入操作をロックするようにした、アース棒の信号による遮断器投入ロックシステムが開示されている。
本出願人は、下記の特許文献３において、ＧＰＳ情報受信部で受信した位置情報を受け取って無線で発信する無線発信部を接地器具によって電路が接地されているときにのみ起動させる位置情報発信機を接地器具に取り付けることを提案している。
【先行技術文献】
【特許文献】
【０００５】
【特許文献１】特開２００３−２１７４０７号公報
【特許文献２】特開２００４−２２９４８４号公報
【特許文献３】特開２００９−２４７０４４号公報
【発明の概要】
【発明が解決しようとする課題】
【０００６】
しかしながら、上記の特許文献１に開示された接地投入確認方法では、停止回線Ｌ2の系統運用側に安全配慮用アースが取り付けられていると、停止回線Ｌ2の作業側に作業用アース１２０が取り付けられていなくても充電中の隣接運転回線Ｌ1から停止回線Ｌ2に静電誘導電流ＩES（図７（ｂ）参照）が流れるため、停止回線Ｌ2の接地投入を確認するには有効であるかもしれないが、作業終了後には必ず作業側において作業用アース１２０を先に外したのちに系統運用側において安全配慮用アースを外すような運用をしているケースでは作業用アース１２０の外し忘れを確認することができないという問題がある。
また、上記の特許文献２に開示された遮断器投入ロックシステムおよび上記の特許文献３に開示された位置情報発信機では、電波送信装置が取り付けられたアース棒を使用したり接地器具に位置情報発信機を取り付けたりする必要があるという問題がある。
【０００７】
本発明の目的は、作業用アースを安全配慮用アースよりも先に外す運用を行う際に作業用アースの外し忘れを確認することができるアース外し確認装置を提供することにある。
【課題を解決するための手段】
【０００８】
本発明のアース外し確認装置は、充電中の隣接運転回線（Ｌ1）に隣接する停止回線（Ｌ2）の系統運用側および作業側に安全配慮用アースおよび作業用アース（１２０）をそれぞれ取り付けて該停止回線について停電作業を行ったのちに該作業用アースが該安全配慮用アースよりも先に外されたか否かを確認するためのアース外し確認装置（１０，２０）であって、前記安全配慮用アースに流れる電流（ｉ）の電流値を計測するための電流値計測手段（１１，１２；２１，２２）と、前記停電作業前に前記安全配慮用アースのみを前記停止回線に取り付けたときの前記電流値計測手段によって計測された電流値（Ｉ1）および該停電作業後に前記作業用アースを該停止回線から外したとされたときの前記電流値計測手段によって計測された他の電流値（Ｉ2；Ｉt）に基づいて、該作業用アースが該安全配慮用アースよりも先に外されたか否かを判定するための判定手段（１４；２４）とを具備することを特徴とする。
ここで、前記安全配慮用アースとして、前記停止回線の前記系統運用側に設置された接地開閉器（１１０）を用い、前記電流値計測手段が、前記接地開閉器の接地アース（１１１）に取り付けられた計器用変流器（１１；２１）を備えてもよい。
前記他の電流値（Ｉ2）が、前記停電作業後に前記作業用アースを前記停止回線から外したとされたときに前記電流値計測手段によって計測され、前記判定手段が、前記他の電流値（Ｉ2）と前記電流値（Ｉ1）との差を該電流値で割った値が所定の判定値（Ｚ）よりも大きいか否かを判定して、前記作業用アースが前記安全配慮用アースよりも先に外されたか否かを判定してもよい。
前記他の電流値（Ｉt）が、前記電流値計測手段によって常時計測され、前記判定手段が、前記電流値（Ｉ1）に所定の係数を掛けて判定電流値（ＩM）を決定するとともに、前記他の電流値（Ｉt）が該判定電流値よりも小さいか否かを常時判定して、前記作業用アースが前記安全配慮用アースよりも先に外されたか否かを判定してもよい。
【発明の効果】
【０００９】
本発明のアース外し確認装置は、以下に示す効果を奏する。
（１）作業用アースを安全配慮用アースよりも先に外す運用を行っても作業用アースの外し忘れを確認することができる。
（２）作業用アースの外し忘れによる短絡事故などを防止できるため、お客さまへのご迷惑（波及事故、設備の損傷および社会的信頼の失墜など）を防止することができる。
【図面の簡単な説明】
【００１０】
【図１】本発明の第１の実施例によるアース外し確認装置１０の構成を示す図である。
【図２】図１に示したアース外し確認装置１０の動作について説明するためのフローチャートである。
【図３】第２の送電線２ＬのＢ電気所端側に１本の作業用アース１２０を取り付けて停電作業を行う場合の図１に示したアース外し確認装置１０の動作について説明するための図である。
【図４】本発明の第２の実施例によるアース外し確認装置２０の構成を示す図である。
【図５】図４に示したアース外し確認装置２０の動作について説明するためのフローチャートである。
【図６】第２の送電線２ＬのＢ電気所端側および中間地点付近に作業用アース１２０を１本ずつ取り付けて停電作業を行う場合の図１に示したアース外し確認装置１０の動作について説明するための図である。
【図７】本発明のアース外し確認装置の特徴を説明するための図である。
【発明を実施するための形態】
【００１１】
上記の目的を、停電作業前に安全配慮用アースのみを停止回線に取り付けたときの安全配慮用アースに流れる電流の電流値と停電作業後に作業用アースを停止回線から外したとされたときの安全配慮用アースに流れる電流の電流値とに基づいて作業用アースが安全配慮用アースよりも先に外されたか否かを判定することにより実現した。
【実施例１】
【００１２】
以下、本発明のアース外し確認装置の実施例について図面を参照して説明する。
本発明のアース外し確認装置は、停止回線Ｌ2の系統運用側の接地開閉器１１０を投入する（すなわち、安全配慮用アースを取り付ける）とともに停止回線Ｌ2の作業側に作業用アース１２０を取り付けると、停止回線Ｌ2、作業用アース１２０、大地および接地開閉器１１０（安全配慮用アース）を通じた閉回路が形成されるため、図７（ａ）に示すように停止回線Ｌ2に隣接運転回線Ｌ1からの電磁誘導電流ＩEMが流れ、また、作業終了後に作業用アース１２０のみを外すと、図７（ｂ）に示すように、充電中の隣接運転回線Ｌ1との位置関係による回線間静電容量ＣMおよび対地間静電容量ＣEによる静電誘導電流ＩESが接地開閉器１１０（安全配慮用アース）に流れ、電磁誘導電流ＩEMの電流値は静電誘導電流ＩESの電流値に比べて２桁程度大きい（たとえば、電磁誘導電流ＩEMの電流値は数百アンペアであるのに対して、静電誘導電流ＩESの電流値は数アンペアである。）ことに鑑みて、接地開閉器１１０のアース線１１１（安全配慮用アース）に流れる電流ｉの電流値を計測し、計測した電流値の変化に基づいて作業用アース１２０が安全配慮用アースよりも先に外されたか否かを確認することを特徴とする。
【００１３】
次に、本発明の第１の実施例によるアース外し確認装置１０について、図１〜３を参照して説明する。
なお、説明の簡単のために、Ａ変電所とＢ電気所との間に敷設された平行２回線送電線である第１および第２の送電線１Ｌ，２Ｌ（図３（ａ−１）参照）のうち第２の送電線２Ｌについて停電作業を行う場合を例として説明する。
【００１４】
本実施例によるアース外し確認装置１０は、図１に示すように、Ａ変電所に設けられ、第２の送電線２Ｌに設置された接地開閉器１１０のアース線１１１に取り付けられた計器用変流器１１と、計器用変流器１１から入力される電流ｉの電流値を計測するための電流値計測回路１２と、電流値計測回路１２によって計測された電流ｉの電流値が格納されるメモリ１３と、メモリ１３に格納された電流ｉの電流値の変化に基づいて作業用アース１２０が安全配慮用アースよりも先に外されたか否かを確認するための判定回路１４と、判定回路１４における判定結果に応じた警報信号ＳAを出力するための警報出力回路１５とを具備する。
ここで、電流値計測回路１２は、判定回路１４から入力される計測制御信号に応じて電流ｉの電流値の計測を開始したり終了したりする。
【００１５】
また、Ａ変電所には、集中制御所に設置された制御所システム１４０と相互接続された遠隔監視制御装置１３１と、遠隔監視制御装置１３１と相互接続された接地開閉器制御回路１３２とが設けられている。
遠隔監視制御装置１３１は、制御所システム１４０から接地開閉器投入制御信号が送信されてくるとハイレベルの投入指令信号ＳONを接地開閉器制御回路１３２および判定回路１４に出力するとともに、制御所システム１４０から接地開閉器遮断制御信号が送信されてくるとハイレベルの遮断指令信号ＳOFFを接地開閉器制御回路１３２および判定回路１４に出力する。
接地開閉器制御回路１３２は、遠隔監視制御装置１３１から入力される投入指令信号ＳONおよび遮断指令信号ＳOFFに応じて接地開閉器１１０を投入したり遮断したりするとともに、接地開閉器１１０が投入されているか遮断されているかを示す状態信号ＳSを遠隔監視制御装置１３１および判定回路１４に出力する。
【００１６】
次に、第２の送電線２Ｌについて停電作業を行う場合のアース外し確認装置１０の動作について、図２に示すフローチャートを参照して説明する。
集中制御所の制御員は、第２の送電線２ＬのＡ変電所側（系統運用側）に安全配慮用アースを取り付けるために、接地開閉器１１０を投入させる接地開閉器投入制御信号を制御所システム１４０からＡ変電所の遠隔監視制御装置１３１に送信する。
遠隔監視制御装置１３１は、接地開閉器投入制御信号が送信されてくると、ハイレベルの投入指令信号ＳONを接地開閉器制御回路１３２および判定回路１４に出力する（ステップＳ１１）。
【００１７】
接地開閉器制御回路１３２は、ハイレベルの投入指令信号ＳONに応じて接地開閉器１１０を投入するとともに、状態信号ＳSをロウレベル（接地開閉器１１０が遮断状態であることを示すレベル）からハイレベル（接地開閉器１１０が投入状態であることを示すレベル）に変えたのち、ハイレベルの状態信号ＳSを遠隔監視制御装置１３１および判定回路１４に出力する（ステップＳ１２）。
遠隔監視制御装置１３１は、接地開閉器制御回路１３２から入力されたハイレベルの状態信号ＳSを制御所システム１４０に送信する。
【００１８】
制御所システム１４０は、ハイレベルの状態信号ＳSが送信されてくると、接地開閉器１１０が投入状態であることを状態表示ランプの点灯などによって表示する。
集中制御所の制御員は、接地開閉器１１０が投入状態であることを確認すると、第２の送電線２Ｌの作業側にいる作業員に作業用アース１２０を取り付けるように電話で連絡する。
作業員は、制御員から作業用アース取付指示の連絡を受けると、既存のアース棒の一端を第２の送電線２Ｌに取り付けるとともにこのアース棒の他端を接地して、第２の送電線２Ｌの作業側に作業用アース１２０を取り付けたのち（ステップＳ１４）、作業用アース１２０の取付が完了した旨を制御員に電話で連絡する。
その後、作業員は、停電作業を行う（ステップＳ１５）。
【００１９】
このとき、判定回路１４は、遠隔監視制御装置１３１からハイレベルの投入指令信号ＳONが入力されると、計器用変流器１１から入力されてくる電流ｉの電流値の計測を開始させる計測制御信号を電流値計測回路１２に出力する。
電流値計測回路１２は、この計測制御信号に応じて電流ｉの電流値の計測を開始して、計測した電流ｉの電流値をメモリ１３に格納していく。
【００２０】
その後、判定回路１４は、接地開閉器制御回路１３２からハイレベルの状態信号ＳSが入力されると、この状態信号ＳSが入力されてから所定の時間経過後（たとえば、１秒後）の電流ｉの電流値（以下、「電流値Ｉ1」と称する。）をメモリ１３から読み出して、読み出した電流値Ｉ1を基準値としてメモリ１３に格納する（ステップＳ１３）。
ここで、図３（ａ−１）に示すように接地開閉器１１０が遮断状態であるときには、接地開閉器１１０のアース線１１１には電流が流れていないため、電流ｉの電流値は図３（ａ−２）に示すように“０”となっている。
時刻ｔ1において、図３（ｂ−１）に示すように接地開閉器１１０を遮断状態から投入状態に変えると、図３（ｂ−２）に示すようにアース線１１１に静電誘導電流ＩESが流れ始める。したがって、メモリ１３に基準値として格納される電流値Ｉ1は静電誘導電流ＩESの電流値（数アンペア）となる。
時刻ｔ2において、図３（ｃ−１）に示すように作業用アース１２０が第２の送電線２Ｌに取り付けられると、図３（ｃ−２）に示すようにアース線１１１に電磁誘導電流ＩEMが流れ始める。
【００２１】
その後、停電作業が完了すると、作業員は、作業用アース１２０（アース棒）を第２の送電線２Ｌから外したのち、その旨を制御員に電話で連絡する（ステップＳ１６，Ｓ１７）。
制御員は、作業員から作業用アース１２０の取外し完了連絡を受け取ると、接地開閉器１１０を遮断させる接地開閉器遮断制御信号を制御所システム１４０からＡ変電所の遠隔監視制御装置１３１に送信する。
【００２２】
遠隔監視制御装置１３１は、接地開閉器遮断制御信号が送信されてくると、ハイレベルの遮断指令信号ＳOFFを接地開閉器制御回路１３２および判定回路１４に出力する（ステップＳ１８）。
【００２３】
判定回路１４は、ハイレベルの遮断指令信号ＳOFFが入力されると、基準値（＝電流値Ｉ1）とこの遮断指令信号ＳOFFが入力された数秒前（たとえば、１秒前）の電流ｉの電流値（以下、「電流値Ｉ2」と称する。）とをメモリ１３から読み出したのち、（１）式に示すように電流値Ｉ2と電流値Ｉ1（＝基準値）との差を電流値Ｉ1で割った値が判定値Ｚよりも大きいか否かを判定する（ステップＳ２０，Ｓ２１）。
（Ｉ2−Ｉ1）／Ｉ1＞Ｚ      （１）
ここで、判定値Ｚは、電流値Ｉ2が静電誘導電流ＩESの電流値か電磁誘導電流ＩEMの電流値かを確認するためのものであるため、“１”よりも大きく“１０”以下の数値（たとえば、“２”）とする。
【００２４】
このとき、作業用アース１２０が第２の送電線２Ｌから外されていなかった場合には、電流ｉの電流値は電磁誘導電流ＩEMの電流値のままとなっており、（Ｉ2−Ｉ1）／Ｉ1＞Ｚとなるため、判定回路１４は、遮断指令信号ＳOFFが入力された数秒前の電流ｉの電流値Ｉ2は静電誘導電流ＩESの電流値ではなくて電磁誘導電流ＩEMの電流値であるとして、「作業用アース１２０の外し忘れが発生している」と判定し、その旨を示す警報信号ＳAを出力するように警報出力回路１５に対して指示する（ステップＳ２２）。
警報出力回路１５は、判定回路１４からの指示に応じて、警報信号ＳAを制御所システム１４０に遠隔監視制御装置１３１を介して送信する。
制御所システム１４０は、警報信号ＳAが送信されてくると、「作業用アース１２０の外し忘れが発生している」旨を警報ランプの点灯などにより表示する。
制御員は、制御所システム１４０に「作業用アース１２０の外し忘れが発生している」旨が表示されると、作業員に電話して、作業用アース１２０を第２の送電線２Ｌから外し忘れていないかを確認させる。
これにより、作業用アース１２０を安全配慮用アースよりも先に外しても作業用アース１２０の外し忘れを確認することができる。
【００２５】
一方、時刻ｔ3において、図３（ｄ−１）に示すように作業用アース１２０が第２の送電線２Ｌから外されていた場合には、図３（ｄ−２）に示すように遮断指令信号ＳOFFが入力された数秒前の電流ｉの電流値Ｉ2は電磁誘導電流ＩEMの電流値から静電誘導電流ＩESの電流値となっており、（Ｉ2−Ｉ1）／Ｉ1≦Ｚとなるため、判定回路１４は、「作業用アース１２０の外し忘れが発生していない」と判定する。
【００２６】
接地開閉器制御回路１３２は、遠隔監視制御装置１３１からハイレベルの遮断指令信号ＳOFFが入力されると、接地開閉器１１０を遮断するとともに、状態信号ＳSをハイレベルからロウレベルに変えたのち、ロウレベルの状態信号ＳSを遠隔監視制御装置１３１および判定回路１４に出力する（ステップＳ１９）。
遠隔監視制御装置１３１は、接地開閉器制御回路１３２から入力されたロウレベルの状態信号ＳSを制御所システム１４０に送信する。
【００２７】
制御所システム１４０は、ロウレベルの状態信号ＳSが送信されてくると、接地開閉器１１０が遮断状態であることを状態表示ランプの消灯などによって表示する。
これにより、制御員は、接地開閉器１１０が遮断状態になったことを確認することができる。
【００２８】
判定回路１４は、ロウレベルの状態信号ＳSが入力されると、電流ｉの電流値の計測を終了させる計測制御信号を電流値計測回路１２に出力する。
【実施例２】
【００２９】
次に、本発明の第２の実施例によるアース外し確認装置２０について、図４，５を参照して説明する。
本実施例によるアース外し確認装置２０は、図４に示すように、図１に示した第１の実施例によるアース外し確認装置１０と同様に、第２の送電線２Ｌに設置された接地開閉器１１０のアース線１１１に取り付けられた計器用変流器２１と、計器用変流器２１から入力される電流ｉの電流値を計測するための電流値計測回路２２と、電流値計測回路２２によって計測された電流ｉの電流値が格納されるメモリ２３と、メモリ２３に格納された電流ｉの電流値の変化に基づいて作業用アース１２０が安全配慮用アースよりも先に外されたか否かを確認するための判定回路２４と、判定回路２４における判定結果に応じて緑警報信号ＳAGまたは赤警報信号ＳARを出力するための警報出力回路２５とを具備する。
【００３０】
次に、第２の送電線２Ｌについて停電作業を行う場合のアース外し確認装置２０の動作について、図５に示すフローチャートを参照して説明する。
集中制御所の制御員は、第２の送電線２ＬのＡ変電所側（系統運用側）に安全配慮用アースを取り付けるために、接地開閉器１１０を投入させる接地開閉器投入制御信号を制御所システム１４０からＡ変電所の遠隔監視制御装置１３１に送信する。
遠隔監視制御装置１３１は、接地開閉器投入制御信号が送信されてくると、ハイレベルの投入指令信号ＳONを接地開閉器制御回路１３２および判定回路２４に出力する（ステップＳ３１）。
【００３１】
接地開閉器制御回路１３２は、ハイレベルの投入指令信号ＳONに応じて接地開閉器１１０を投入するとともに、状態信号ＳSをロウレベルからハイレベルに変えたのち、ハイレベルの状態信号ＳSを遠隔監視制御装置１３１および判定回路２４に出力する（ステップＳ３２）。
遠隔監視制御装置１３１は、接地開閉器制御回路１３２から入力されたハイレベルの状態信号ＳSを制御所システム１４０に送信する。
【００３２】
制御所システム１４０は、ハイレベルの状態信号ＳSが送信されてくると、接地開閉器１１０が投入状態であることを状態表示ランプの点灯などによって表示する。
集中制御所の制御員は、接地開閉器１１０が投入状態であることを確認すると、第２の送電線２Ｌの作業側にいる作業員に作業用アース１２０を取り付けるように電話で連絡する。
作業員は、制御員から作業用アース取付指示の連絡を受けると、既存のアース棒の一端を第２の送電線２Ｌに取り付けるとともにこのアース棒の他端を接地して、第２の送電線２Ｌの作業側に作業用アース１２０を取り付けたのち（ステップＳ３５）、作業用アース１２０の取付が完了した旨を制御員に電話で連絡する。
その後、作業員は、停電作業を行う（ステップＳ３６）。
【００３３】
このとき、判定回路２４は、遠隔監視制御装置１３１からハイレベルの投入指令信号ＳONが入力されると、計器用変流器２１から入力されてくる電流ｉの電流値の計測を開始させる計測制御信号を電流値計測回路２２に出力する。
電流値計測回路２２は、この計測制御信号に応じて電流ｉの電流値の計測を開始して、計測した電流ｉの電流値をメモリ２３に格納していく。
【００３４】
その後、判定回路２４は、接地開閉器制御回路１３２からハイレベルの状態信号ＳSが入力されると、この状態信号ＳSが入力されてから所定の時間経過後（たとえば、１秒後）の電流ｉの電流値（以下、「電流値Ｉ1」と称する。）をメモリ２３から読み出して、読み出した電流値Ｉ1に所定の係数（たとえば、“２”）を掛けて判定電流値ＩMを決定し、決定した判定電流値ＩMをメモリ３３に格納する（ステップＳ３３，Ｓ３４）。
また、判定回路２４は、その後の電流ｉの電流値（以下、「電流値Ｉt」と称する。）をメモリ１３から読み出して、（２）式に示すように読み出した電流値Ｉtが判定電流値ＩMよりも小さいか否かを常時判定する（ステップＳ３９）。
Ｉt＜ＩM      （２）
【００３５】
その後、停電作業が完了すると、作業員は、作業用アース１２０（アース棒）を第２の送電線２Ｌから外したのち、その旨を制御員に電話で連絡する（ステップＳ３７，Ｓ３８）。
【００３６】
このとき、作業用アース１２０が第２の送電線２Ｌから外されていなかった場合には、電流ｉの電流値は電磁誘導電流ＩEMの電流値のままとなっており、Ｉt≧ＩMとなるため、判定回路２４は、「作業用アース１２０の外し忘れが発生している」と判定して、その旨を示す赤警報信号ＳARを出力するように警報出力回路２５に対して指示する（ステップＳ４１）。
警報出力回路２５は、判定回路２４からの指示に応じて、赤警報信号ＳARを制御所システム１４０に遠隔監視制御装置１３１を介して送信する。
制御所システム１４０は、赤警報信号ＳARが送信されてくると、警報ランプを赤色に点灯して、「作業用アース１２０の外し忘れが発生している」旨を表示する。
制御員は、制御所システム１４０の警報ランプが赤色に点灯されると、作業員に電話して、作業用アース１２０を第２の送電線２Ｌから外し忘れていないかを確認させる。
これにより、作業用アース１２０を安全配慮用アースよりも先に外しても作業用アース１２０の外し忘れを確認することができる。
【００３７】
一方、作業用アース１２０が外されていた場合または制御員からの電話連絡に応じて作業員が作業用アース１２０を外した場合には、電流ｉの電流値は電磁誘導電流ＩEMの電流値から静電誘導電流ＩESの電流値となり（図３（ｄ−２）参照）、静電誘導電流ＩESの電流値は判定電流値ＩMよりも小さいため、Ｉt＜ＩMとなるため、判定回路２４は、緑警報信号ＳAGを出力するように警報出力回路２５に対して指示する（ステップＳ４０）。
警報出力回路２５は、判定回路２４からの指示に応じて、緑警報信号ＳAGを制御所システム１４０に遠隔監視制御装置１３１を介して送信する。
制御所システム１４０は、緑警報信号ＳAGが送信されてくると、警報ランプを緑色に点灯する。
【００３８】
制御員は、作業員から作業用アース１２０の取外し完了連絡を受け取ると、制御所システム１４０の警報ランプが緑色に点灯していることを確認したのち、接地開閉器１１０を遮断させる接地開閉器遮断制御信号を制御所システム１４０からＡ変電所の遠隔監視制御装置１３１に送信する。
【００３９】
遠隔監視制御装置１３１は、接地開閉器遮断制御信号が送信されてくると、ハイレベルの遮断指令信号ＳOFFを接地開閉器制御回路１３２および判定回路２４に出力する（ステップＳ４２）。
【００４０】
接地開閉器制御回路１３２は、ハイレベルの遮断指令信号ＳOFFに応じて接地開閉器１１０を遮断するとともに、状態信号ＳSをハイレベルからロウレベルに変えたのち、ロウレベルの状態信号ＳSを遠隔監視制御装置１３１および判定回路２４に出力する（ステップＳ４３）。
遠隔監視制御装置１３１は、接地開閉器制御回路１３２から入力されたロウレベルの状態信号ＳSを制御所システム１４０に送信する。
【００４１】
制御所システム１４０は、ロウレベルの状態信号ＳSが送信されてくると、接地開閉器１１０が遮断状態であることを状態表示ランプの消灯などによって表示する。
これにより、制御員は、接地開閉器１１０が遮断状態になったことを確認することができる。
【００４２】
判定回路２４は、接地開閉器制御回路１３２からロウレベルの状態信号ＳSが入力されると、数秒後（たとえば、１秒後）に、電流ｉの電流値の計測を終了させる計測制御信号を電流値計測回路２２に出力する。
【００４３】
以上の説明では、第２の送電線２Ｌに作業用アース１２０を１本だけ取り付けたが、２本以上の作業用アース１２０を第２の送電線２Ｌに取り付けてもよい。
たとえば図６（ａ−１）に示すように、時刻ｔ2に１本の作業用アース１２０を第２の送電線２ＬのＢ電気所端側に取り付けたのち、時刻ｔ3に他の１本の作業用アース１２０を第２の送電線２Ｌの中間地点付近に取り付けた場合でも、図６（ａ−２）に示すように電磁誘導電流ＩEMの電流値は時刻ｔ3において減少するが静電誘導電流ＩESの電流値に比べると２桁程度大きい。
その結果、図６（ｂ−１）に示すように停電作業完了後に作業員が時刻ｔ4において中間地点付近の他の１本の作業用アース１２０を外すと、図６（ｂ−２）に示すように電磁誘導電流ＩEMの電流値は増加するため、上記（１）式では（Ｉ2−Ｉ1）／Ｉ1＞Ｚとなり、上記（２）式ではＩt≧ＩMとなるので、判定回路１４，２４が「作業用アース１２０の外し忘れが発生していない」と判定することはない。
その後、図６（ｃ−１）に示すように作業員が時刻ｔ5においてＢ電気所端側の１本の作業用アース１２０を外すと、図６（ｃ−２）に示すように第２の送電線２Ｌには静電誘導電流ＩESが流れるため、上記（１）式では（Ｉ2−Ｉ1）／Ｉ1≦Ｚとなり、上記（２）式ではＩt＜ＩMとなるので、判定回路１４，２４が「作業用アース１２０の外し忘れが発生している」と判定することはない。
【００４４】
なお、第２の送電線２ＬのＡ変電所端に極めて近い付近に作業用アース１２０を取り付けて停電作業を行う場合には、電磁誘導電流ＩEMの電流値が静電誘導電流ＩESの電流値と同程度まで小さくなって、上記（１），（２）式による判定ではこの作業用アース１２０の外し忘れを検出することができなくなる可能性がある。
このような場合には、第２の送電線２ＬのＢ電気所側にもアース外し確認装置１０，２０を設置して、停電作業完了後にＡ変電所側の接地開閉器１１０のみが投入されている状態にしたときのＡ変電所側のアース外し確認装置１０，２０の判定回路１４，２４における判定結果とＢ電気所側の接地開閉器１１０のみが投入されている状態にしたときのＢ電気所側のアース外し確認装置１０，２０の判定回路１４，２４における判定結果とが共に「作業用アース１２０の外し忘れが発生していない」であるか否かを確認するようにすればよい。
また、アース外し確認装置１０，２０を常設する場合には、第１の送電線１Ｌにおいても同様の停電作業を行う場合があることを考慮すると、第１および第２の送電線１Ｌ，２ＬのＡ変電所側およびＢ電気所側にアース外し確認装置１０，２０をそれぞれ設置するようにすればよい。
【符号の説明】
【００４５】
１Ｌ，２Ｌ  第１および第２の送電線
Ｌ1  隣接運転回線
Ｌ2  停止回線
１０，２０  アース外し確認装置
１１，２１  計器用変流器
１２，２２  電流値計測回路
１３，２３  メモリ
１４，２４  判定回路
１５，２５  警報出力回路
１１０  接地開閉器
１１１  アース線
１２０  作業用アース
１３１  遠隔監視制御装置
１３２  接地開閉器制御回路
１４０  制御所システム
ｉ  電流
ＩEM  電磁誘導電流
ＩES  静電誘導電流
Ｉ1，Ｉ2，ＩT  電流値
ＩM  判定電流値
ＣM  回線間静電容量
ＣE  対地間静電容量
ＳON  投入指令信号
ＳOFF  遮断指令信号
ＳS  状態信号
ＳA  警報信号
ＳAG  緑警報信号
ＳAR  赤警報信号
Ｚ  判定値
Ｓ１１〜Ｓ２２，Ｓ３１〜Ｓ４３  ステップ
【図１】
2015047001.tif 000003
【図２】
2015047001.tif 000004
【図３】
2015047001.tif 000005
【図４】
2015047001.tif 000006
【図５】
2015047001.tif 000007
【図６】
2015047001.tif 000008
【図７】
2015047001.tif 000009